【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部にあり、フェース高さ及び打撃フェース中心点を有し、前記フェース高さが３３ｍｍから７１ｍｍであって、前記打撃フェース中心点が前記フェース高さの中点に位置する、打撃フェースと、
立方センチメートル（ｃｃ）で測定されたヘッド容量であって、前記ヘッド容量の大きさが４２０ｃｃよりも大きいヘッド容量と、
ヘッド重心と、
最適化特性と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は、前記打撃フェース中心点を通って延びて、前記ホーゼル軸と平行であり、前記地面に垂直であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面に垂直に交差し、
前記ヘッド重心のヘッドＣＧ高さは、前記ヘッドＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面と平行かつ前記前面に垂直に測定され、
前記ヘッドＣＧ高さは、約０ｍｍ〜約５．０８ｍｍであり、前記ヘッドＣＧ深さは、約２５ｍｍ〜約１０２ｍｍであり、
前記最適化特性は、（ａ）前記ヘッド容量の大きさを、（ｂ）前記ヘッドＣＧ深さを前記ヘッドＣＧ高さの絶対値で割った比に加えることによって定められ、
前記最適化特性が４２５ｃｃ以上であり、
前記ヘッド本体は、前記ヘッドソール部及び前記ヘッド後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、ゴルフクラブヘッド。
【請求項２】
前記ヘッドＣＧ高さの絶対値が２．５４ｍｍ以下である、請求項１に記載のゴルフクラブヘッド。
【請求項３】
前記ヘッドＣＧ深さが４０．６４ｍｍ以上である、請求項１に記載のゴルフクラブヘッド。
【請求項４】
前記最適化特性が４３５ｃｃ以上である、請求項１から請求項３のいずれか１項に記載のゴルフクラブヘッド。
【請求項５】
前記ヘッド奥行き面は、前記打撃フェース中心点から前記ヘッド後部の外面と前記奥行き面の交点までの寸法のヘッド奥行き長を有し、
前記ヘッドＣＧ深さは、前記ヘッド奥行き長の約２５％〜約８０％を有する、請求項１から請求項４のいずれか１項に記載のゴルフクラブヘッド。
【請求項６】
前記ＣＧ高さの軸は、前記ヘッド上部と前記ＣＧ高さの軸の交点から前記ヘッドソール部の外面と前記ＣＧ高さの軸の交点までの寸法のＣＧ高さの軸長を有し、
前記ヘッドＣＧ高さは、前記ＣＧ高さの軸長の約０％〜約１３％を有する、請求項１から請求項５のいずれか１項に記載のゴルフクラブヘッド。
【請求項７】
前記ヘッド本体はドライバー型本体で構成され、
前記ゴルフクラブヘッドのヘッド容量は、約４２０ｃｃ〜約４７０ｃｃであり、
前記ゴルフクラブヘッドのヘッド重量は、約１８５グラム〜約２２５グラムである、請求項１から請求項６のいずれか１項に記載のゴルフクラブヘッド。
【請求項８】
前記錘構造体は、
前記ヘッド容量を増加させて、慣性モーメントをより大きくし、かつ前記打撃フェースとゴルフボールの間のゴルフインパクト時に前記ゴルフボールにより多くのエネルギーを移動させ、
前記増加させたヘッド容量によって前記ヘッドＣＧ深さが前記ヘッド前部に向かって浅くなるのを制限し、それにより、前記ゴルフインパクト時に前記打撃フェースのダイナミックロフトまたは前記ゴルフボールの打ち出し角の少なくとも一方を向上させ、
前記増加させたヘッド容量の結果として前記ヘッドＣＧ高さが前記ヘッド上部に向かって上昇するのを制限し、それにより、前記ゴルフインパクト時に前記打撃フェースと前記ゴルフボールの間のギア効果によって前記ゴルフボールのバックスピンを減少させる、請求項１から請求項７のいずれか１項に記載のゴルフクラブヘッド。
【請求項９】
前記錘構造体は、前記ヘッドソール部の外部輪郭から少なくとも部分的に突出しており、
前記錘構造体は、約２グラム〜約５０グラムの錘質量及び約１ｃｃ〜約３０ｃｃの錘体積を有する、請求項１から請求項７のいずれか１項に記載のゴルフクラブヘッド。
【請求項１０】
前記ヘッド重心と前記錘構造体の錘中心の間の錘距離は、約２５ｍｍ〜約１０２ｍｍである、請求項１から請求項７のいずれか１項に記載のゴルフクラブヘッド。
【請求項１１】
錘中心垂直距離の軸は、前記錘中心と前記地面の間に延びると共に、前記ゴルフクラブヘッドが前記アドレス位置にあるときは前記地面に垂直であり、
ヘッドＣＧ垂直距離は、前記ヘッド垂直軸に沿って、前記ヘッド重心と前記地面の間で測定され、
錘中心垂直距離は、前記錘中心垂直距離の軸に沿って、前記ヘッド重心と前記地面の間で測定され、
前記錘中心垂直距離を前記ヘッドＣＧ垂直距離で割ることによって定められる垂直距離比が０．４４よりも大きい、請求項１から請求項７のいずれか１項に記載のゴルフクラブヘッド。
【請求項１２】
錘中心垂直距離の軸は、前記錘中心と前記地面の間に延びると共に、前記ゴルフクラブヘッドが前記アドレス位置にあるときは前記地面に垂直であり、
前記錘中心の錘中心深さは、前記前面と前記地面の間の交差部にある前記第２交点と、前記錘中心垂直距離の軸と前記地面の交差部にある第４交点の間で、前記地面と平行に測定され、
前記錘中心深さを前記ヘッドＣＧ深さで割ることによって定められる深さ比が２．５４未満である、請求項１から請求項７のいずれか１項に記載のゴルフクラブヘッド。
【請求項１３】
前記ヘッド重心は、前記ヘッド奥行き面と前記ヘッド上部の間に配置されている、請求項１から請求項１２のいずれか１項に記載のゴルフクラブヘッド。
【請求項１４】
前記ヘッド重心は、前記ヘッド奥行き面と前記ヘッドソール部の間に配置されている、請求項１から請求項１２のいずれか１項に記載のゴルフクラブヘッド。
【請求項１５】
前記ヘッド本体はドライバー型本体で構成され、
前記ヘッド重心は、前記ヘッド奥行き面と前記ヘッドソール部の間に配置されている、請求項１から請求項１２のいずれか１項に記載のゴルフクラブヘッド。
【請求項１６】
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部にあり、フェース高さ及び打撃フェース中心点を有し、前記フェース高さが３３ｍｍから７１ｍｍであって、前記打撃フェース中心点が前記フェース高さの中点に位置する、打撃フェースと、
ヘッド重心と、
立方センチメートル（ｃｃ）で測定されたヘッド容量であって、前記ヘッド容量の大きさが４２０ｃｃよりも大きいヘッド容量と、
最適化特性と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は、前記打撃フェース中心点を通って延びて、前記ホーゼル軸と平行であり、前記地面に垂直であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面に垂直に交差し、
前記ヘッド重心のヘッドＣＧ高さは、前記ヘッドＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面と平行かつ前記前面に垂直に測定され、
前記最適化特性は、（ａ）前記ヘッド容量の大きさを、（ｂ）前記ヘッドＣＧ深さを前記ヘッドＣＧ高さの絶対値で割った比に加えることによって定められ、
前記ヘッドＣＧ高さの絶対値が２．５４ｍｍ以下であり、
前記ヘッドＣＧ深さが４０．６４ｍｍ以上であり、
前記最適化特性が４２５ｃｃ以上であり、
前記ヘッド本体は、前記ヘッドソール部及び前記ヘッド後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、ゴルフクラブヘッド。
【請求項１７】
前記ヘッド重心は、前記ヘッド奥行き面と前記ヘッド上部の間に配置されている、請求項１６に記載のゴルフクラブヘッド。
【請求項１８】
ゴルフクラブヘッドの提供方法であって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体を提供すること、
前記ヘッド前部に打撃フェースを連結すること、並びに
前記ゴルフクラブヘッドの最適化特性を設定すること、を含み、
前記打撃フェースは、フェース高さ及び打撃フェース中心点を有し、前記フェース高さが３３ｍｍから７１ｍｍであって、前記打撃フェース中心点が前記フェース高さの中点に位置し、
前記ゴルフクラブヘッドのヘッド容量は、立方センチメートル（ｃｃ）で測定され、前記ヘッド容量の大きさが４２０ｃｃよりも大きく、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は、前記打撃フェース中心点を通って延びて、前記ホーゼル軸と平行であり、前記地面に垂直であり、
ヘッド奥行き面は、前記打撃フェース中心点を通って前記ヘッド水平軸と平行かつ前記ロフト面に垂直に延び、
重心（ＣＧ）高さ軸は、前記ヘッド重心を通って延びると共に、第１交点で前記ヘッド奥行き面に垂直に交差し、
前記ヘッド重心のヘッドＣＧ高さは、前記ヘッドＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面と平行かつ前記前面に垂直に測定され、
前記最適化特性は、（ａ）前記ヘッド容量の大きさを、（ｂ）前記ヘッドＣＧ深さを前記ヘッドＣＧ高さの絶対値で割った比に加えることによって設定され、
前記最適化特性が４２５ｃｃ以上であり、
前記ヘッドＣＧ高さは、約０ｍｍ〜約５．０８ｍｍであり、前記ヘッドＣＧ深さは、約２５ｍｍ〜約１０２ｍｍであり、
前記ヘッド本体は、前記ヘッドソール部及び前記ヘッド後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、方法。
【請求項１９】
前記ヘッド本体はドライバー型本体で構成され、
前記ヘッドＣＧ高さの絶対値が２．５４ｍｍ以下であり、
前記ヘッドＣＧ深さが４０．６４ｍｍ以上である、請求項１８に記載の方法。
【請求項２０】
前記最適化特性が４３５ｃｃ以上であり、
前記ヘッド重心は、前記ヘッド奥行き面と前記ヘッド上部の間に配置されている、請求項１８または請求項１９に記載の方法。
【手続補正２】
【補正対象書類名】明細書
【補正対象項目名】００７２
【補正方法】変更
【補正の内容】
【００７２】
さらに、本明細書で開示された実施形態及び限定は、その実施形態及び／または限定が、（１）請求項において明示的に特許請求されておらず、（２）均等論の下で請求項中の明示的な要素及び／または限定の均等物であり、または潜在的な均等物である場合、公有の原則（ｄｏｃｔｒｉｎｅ  ｏｆ  ｄｅｄｉｃａｔｉｏｎ）の下で公共用として提供されることはない。
以下に、本実施例の特徴を列挙する。
（特徴１）
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部にあり、打撃フェース中心点を有する打撃フェースと、
立方センチメートル（ｃｃ）で測定されたヘッド容量であって、前記ヘッド容量の大きさが４２０よりも大きいヘッド容量と、
ヘッド重心と、
最適化特性と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は前記打撃フェース中心点を通って延びると共に前記ホーゼル軸と平行であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面に垂直に交差し、
前記ヘッド重心のヘッドＣＧ高さは、前記ヘッドＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面と平行かつ前記前面に垂直に測定され、
前記最適化特性は、（ａ）前記ヘッド容量の大きさを、（ｂ）前記ヘッドＣＧ深さを前記ヘッドＣＧ高さの絶対値で割った比に加えることによって定められ、
前記最適化特性が４２５以上である、ゴルフクラブヘッド。
（特徴２）
前記ヘッドＣＧ高さの絶対値が２．５４ｍｍ以下であり、前記ヘッドＣＧ深さが４０．６４ｍｍ以上である、特徴１に記載のゴルフクラブヘッド。
（特徴３）
前記ヘッドＣＧ高さの絶対値が２．５４ｍｍ以下である、特徴１に記載のゴルフクラブヘッド。
（特徴４）
前記ヘッドＣＧ深さが４０．６４ｍｍ以上である、特徴１に記載のゴルフクラブヘッド。
（特徴５）
前記最適化特性が４３５以上である、特徴１から特徴４のいずれか１項に記載のゴルフクラブヘッド。
（特徴６）
前記ヘッド奥行き面は、前記打撃フェース中心点から前記ヘッド後部の外面と前記奥行き面の交点までの寸法のヘッド奥行き長を有し、
前記ヘッドＣＧ深さは、前記ヘッド奥行き長の約２５％〜約８０％を有する、特徴１から特徴５のいずれか１項に記載のゴルフクラブヘッド。
（特徴７）
前記ＣＧ高さの軸は、前記ヘッド上部と前記ＣＧ高さの軸の交点から前記ヘッドソール部の外面と前記ＣＧ高さの軸の交点までの寸法のＣＧ高さの軸長を有し、
前記ヘッドＣＧ高さは、前記ＣＧ高さの軸長の約０％〜約１３％を有する、特徴１から特徴６のいずれか１項に記載のゴルフクラブヘッド。
（特徴８）
前記ヘッド本体はドライバー型本体で構成され、
前記ヘッドＣＧ高さは、約０ｍｍ〜約５．０８ｍｍであり、
前記ヘッドＣＧ深さは、約２５ｍｍ〜約１０２ｍｍであり、
前記ゴルフクラブヘッドのヘッド容量は、約４２０ｃｃ〜約４７０ｃｃであり、
前記ゴルフクラブヘッドのヘッド重量は、約１８５グラム〜約２２５グラムである、特徴１から特徴７のいずれか１項に記載のゴルフクラブヘッド。
（特徴９）
前記ヘッド本体は、前記ヘッドソール部及び前記ヘッド後部の付近に配置された錘構造体を備え、
前記錘構造体は、
前記ヘッド容量を増加させて、慣性モーメントをより大きくし、かつ前記打撃フェースとゴルフボールの間のゴルフインパクト時に前記ゴルフボールにより多くのエネルギーを移動させ、
前記増加させたヘッド容量によって前記ヘッドＣＧ深さが前記ヘッド前部に向かって浅くなるのを制限し、それにより、前記ゴルフインパクト時に前記打撃フェースのダイナミックロフトまたは前記ゴルフボールの打ち出し角の少なくとも一方を向上させ、
前記増加させたヘッド容量の結果として前記ヘッドＣＧ高さが前記ヘッド上部に向かって上昇するのを制限し、それにより、前記ゴルフインパクト時に前記打撃フェースと前記ゴルフボールの間のギア効果によって前記ゴルフボールのバックスピンを減少させる、特徴１から特徴８のいずれか１項に記載のゴルフクラブヘッド。
（特徴１０）
前記ヘッド本体は、前記ヘッドソール部及び前記ヘッド後部の付近に配置された錘構造体を備え、
前記錘構造体は、前記ヘッドソール部の外部輪郭から少なくとも部分的に突出しており、
前記錘構造体は、約２グラム〜約５０グラムの錘質量及び約１ｃｃ〜約３０ｃｃの錘体積を有する、特徴１から特徴８のいずれか１項に記載のゴルフクラブヘッド。
（特徴１１）
前記ヘッド本体は、前記ヘッドソール部及び前記ヘッド後部の付近に配置された錘構造体を備え、
前記ヘッド重心と前記錘構造体の錘中心の間の錘距離は、約２５ｍｍ〜約１０２ｍｍである、特徴１から特徴８のいずれか１項に記載のゴルフクラブヘッド。
（特徴１２）
前記ヘッド本体は、前記ヘッドソール部及び前記ヘッド後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、特徴１から特徴８のいずれか１項に記載のゴルフクラブヘッド。
（特徴１３）
前記ヘッド本体は、錘中心を有し、前記ヘッドソール部及び前記ヘッド後部の付近に配置された錘構造体を備え、
錘中心垂直距離の軸は、前記錘中心と前記地面の間に延びると共に、前記ゴルフクラブヘッドが前記アドレス位置にあるときは前記地面に垂直であり、
ヘッドＣＧ垂直距離は、前記ヘッド垂直軸に沿って、前記ヘッド重心と前記地面の間で測定され、
錘中心垂直距離は、前記錘中心垂直距離の軸に沿って、前記ヘッド重心と前記地面の間で測定され、
前記錘中心垂直距離を前記ヘッドＣＧ垂直距離で割ることによって定められる垂直距離比が０．４４よりも大きい、特徴１から特徴８のいずれか１項に記載のゴルフクラブヘッド。
（特徴１４）
前記ヘッド本体は、錘中心を有し、前記ヘッドソール部及び前記ヘッド後部の付近に配置された錘構造体を備え、
錘中心垂直距離の軸は、前記錘中心と前記地面の間に延びると共に、前記ゴルフクラブヘッドが前記アドレス位置にあるときは前記地面に垂直であり、
前記錘中心の錘中心深さは、前記前面と前記地面の間の交差部にある前記第２交点と、前記錘中心垂直距離の軸と前記地面の交差部にある第４交点の間で、前記地面と平行に測定され、
前記錘中心深さを前記ヘッドＣＧ深さで割ることによって定められる深さ比が２．５４未満である、特徴１から特徴８のいずれか１項に記載のゴルフクラブヘッド。
（特徴１５）
前記ヘッド重心は、前記ヘッド奥行き面と前記ヘッド上部の間に配置されている、特徴１から特徴１４のいずれか１項に記載のゴルフクラブヘッド。
（特徴１６）
前記ヘッド重心は、前記ヘッド奥行き面と前記ヘッドソール部の間に配置されている、特徴１から特徴１４のいずれか１項に記載のゴルフクラブヘッド。
（特徴１７）
前記ヘッド本体はドライバー型本体で構成され、
前記ヘッド重心は、前記ヘッド奥行き面と前記ヘッドソール部の間に配置されている、特徴１から特徴１４のいずれか１項に記載のゴルフクラブヘッド。
（特徴１８）
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部にあり、打撃フェース中心点を有する打撃フェースと、
ヘッド重心と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は前記打撃フェース中心点を通って延びると共に前記ホーゼル軸と平行であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面に垂直に交差し、
前記ヘッド重心のヘッドＣＧ高さは、前記ヘッドＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面と平行かつ前記前面に垂直に測定され、
前記ヘッドＣＧ高さの絶対値が２．５４ｍｍ以下であり、
前記ヘッドＣＧ深さが４０．６４ｍｍ以上である、ゴルフクラブヘッド。
（特徴１９）
立方センチメートル（ｃｃ）で測定されたヘッド容量であって、前記ヘッド容量の大きさが４２０よりも大きいヘッド容量と、
（ａ）前記ヘッド容量の大きさを、（ｂ）前記ヘッドＣＧ深さと前記ヘッドＣＧ高さの比に加えることによって定められる最適化特性と、をさらに備え、
前記ヘッド本体はドライバー型本体で構成され、
前記最適化特性が４３５以上である、特徴１８に記載のゴルフクラブヘッド。
（特徴２０）
前記ヘッド重心は、前記ヘッド奥行き面と前記ヘッド上部の間に配置されている、特徴１８または特徴１９に記載のゴルフクラブヘッド。
（特徴２１）
ゴルフクラブヘッドの提供方法であって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体を提供すること、
前記ヘッド前部に打撃フェースを連結すること、並びに
前記ゴルフクラブヘッドの最適化特性を設定すること、を含み、
前記打撃フェースは、打撃フェース中心点を有し、
前記ゴルフクラブヘッドのヘッド容量は、立方センチメートル（ｃｃ）で測定され、前記ヘッド容量の大きさが４２０よりも大きく、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は、前記打撃フェース中心点を通って前記ホーゼル軸と平行に延び、
ヘッド奥行き面は、前記打撃フェース中心点を通って前記ヘッド水平軸と平行かつ前記ロフト面に垂直に延び、
重心（ＣＧ）高さ軸は、前記ヘッド重心を通って延びると共に、第１交点で前記ヘッド奥行き面に垂直に交差し、
前記ヘッド重心のヘッドＣＧ高さは、前記ヘッドＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面と平行かつ前記前面に垂直に測定され、
前記最適化特性は、（ａ）前記ヘッド容量の大きさを、（ｂ）前記ヘッドＣＧ深さを前記ヘッドＣＧ高さの絶対値で割った比に加えることによって設定され、
前記最適化特性が４２５以上である、方法。
（特徴２２）
前記ヘッド本体はドライバー型本体で構成され、
前記ヘッドＣＧ高さの絶対値が２．５４ｍｍ以下であり、
前記ヘッドＣＧ深さが４０．６４ｍｍ以上である、特徴２１に記載の方法。
（特徴２３）
前記最適化特性が４３５以上であり、
前記ヘッド重心は、前記ヘッド奥行き面と前記ヘッド上部の間に配置されている、特徴２１または特徴２２に記載の方法。